(57)【要約】【課題】高圧エアを動力源として回転することにより、それ専用の電源が不要で構成が単純化され、かつ、防爆性に優れる送風機を提供する。【解決手段】送風機１０は、エアインレット２８から高圧エアの供給を受けて、管状回転軸１４の先端部１４ｂからハブ２０の内部に供給される高圧エアが、エアアウトレット２２から噴射され、その反力でプロペラファン１８が回転する。管状回転軸１４がベース１２に軸支されることで、管状回転軸１４にハブ２０が固定されたプロペラファン１８は、円滑にかつ安定して回転し、管状回転軸１４の軸方向へと送風を行うものとなる。【選択図】図３
2011017254.tif 000002
【特許請求の範囲】
【請求項１】
ベースと、該ベースに軸支される管状回転軸と、該管状回転軸の基端部に高圧エアを供給するエアインレットと、前記管状回転軸の先端部に固定されるプロペラファンとを備え、
該プロペラファンは、エアチャンバを構成するハブを備え、該ハブの内部に前記管状回転軸の先端部が開口し、なおかつ、該開口からハブ内に供給される高圧エアを、プロペラファンの回転方向後方へ向けて噴射するエアアウトレットを備えることを特徴とする送風機。
【請求項２】
前記ベースは、前記管状回転軸が挿通されるトンネル部と、該トンネル部の壁面と前記管状回転軸との間に挿入される軸受とを備え、
前記ハブは、筒状の外壁に沿って複数の薄翼が放射状に突出する有底円筒部と、該有底円筒部を塞ぐ蓋部とからなり、
前記エアアウトレットは、前記ハブから放射方向に突出して回転方向後方に開口する噴射孔を備える管により構成されていることを特徴とする請求項１記載の送風機。
【請求項３】
前記エアアウトレットは、前記ハブから突出する一端部が閉鎖された直線円筒管であり、その円筒壁面に前記噴射孔が形成されていることを特徴とする請求項２記載の送風機。
【請求項４】
前記ベースは、中央部に前記トンネル部が形成された円柱状をなし、前記トンネル部と直交する開口が形成され、該開口に前記エアインレットを構成する円筒管が嵌め込まれ、前記トンネル部の一端から前記管状回転軸が突出していることを特徴とする請求項１から３のいずれか１項記載の送風機。
【請求項５】
前記ベースの前記管状回転軸が突出する一端部とは反対側の端部に、円盤状プレートが固定されていることを特徴とする請求項４記載の送風機。
【請求項６】
前記円盤状プレートは、前記プロペラファンの最大径又は前記エアアウトレットの突出長さ以上の直径を有していることを特徴とする請求項５記載の送風機。
【発明の詳細な説明】
【技術分野】
【０００１】
本発明は、送風機に関するものである。
【背景技術】
【０００２】
従来から、高圧エアを動力源として回転する送風機が発案されている。かかる送風機は、それ専用の電源が不要であることから構成が単純化され、かつ、電気配線からの漏電やショートの虞がなく、防爆性にも優れるものである（例えば、特許文献１参照。）。
【先行技術文献】
【特許文献】
【０００３】
【特許文献１】特開２００７−１８２７７０号公報（〔００３５〕〜〔００３９〕、〔図４〕、〔図５〕）
【発明の概要】
【発明が解決しようとする課題】
【０００４】
本発明は、上記従来技術に係る送風機の利点をそのまま踏襲しつつ、送風能力の更なる向上と製造の容易さを高め、様々な用途に対応可能な送風機を提供することを目的とするものである。
【課題を解決するための手段】
【０００５】
（発明の態様）
以下の発明の態様は、本発明の構成を例示するものであり、本発明の多様な構成の理解を容易にするために、項別けして説明するものである。又、各項は、本発明の技術的範囲を限定するものではない。よって、発明を実施するための最良の形態を参酌しつつ、各項の構成要素の一部を置換し、削除し、又は、更に他の構成要素を付加したものについても、本願発明の技術的範囲に含まれ得るものである。
【０００６】
（１）ベースと、該ベースに軸支される管状回転軸と、該管状回転軸の基端部に高圧エアを供給するエアインレットと、前記管状回転軸の先端部に固定されるプロペラファンとを備え、該プロペラファンは、エアチャンバを構成するハブを備え、該ハブの内部に前記管状回転軸の先端部が開口し、なおかつ、該開口からハブ内に供給される高圧エアを、プロペラファンの回転方向後方へ向けて噴射するエアアウトレットを備える送風機（請求項１）。
本項に記載の送風機は、エアインレットから高圧エアの供給を受けて、管状回転軸の先端部からハブ内部に供給される高圧エアが、エアアウトレットから噴射され、その反力でプロペラファンが回転するものである。管状回転軸がベースに軸支されることで、管状回転軸にハブが固定されたプロペラファンは、円滑にかつ安定して回転し、管状回転軸の軸方向へと送風を行うものである。
【０００７】
（２）上記（１）項において、前記ベースは、前記管状回転軸が挿通されるトンネル部と、該トンネル部の壁面と前記管状回転軸との間に挿入される軸受とを備え、前記ハブは、筒状の外壁に沿って複数の薄翼が放射状に突出する有底円筒部と、該有底円筒部を塞ぐ蓋部とからなり、前記エアアウトレットは、前記ハブから放射方向に突出して回転方向後方に開口する噴射孔を備える管により構成されている送風機（請求項２）。
本項に記載の送風機は、ベースに管状回転軸が挿通されるトンネル部と、該トンネル部の壁面と前記管状回転軸との間に挿入される軸受とを備えることで、管状回転軸にハブが固定されたプロペラファンは、円滑にかつ安定して回転し、管状回転軸の軸方向へと送風を行うものである。又、ベースのトンネル部に軸受を挿入し、該軸受により管状回転軸を軸支することで、プロペラファンの回転支持機構が構成されるものである。又、ハブから放射方向に突出し、回転方向後方に開口する噴射孔を備える管により、エアアウトレットが構成されるものである。
【０００８】
（３）上記（２）項において、前記エアアウトレットは、前記ハブから突出する一端部が閉鎖された直線円筒管であり、その円筒壁面に前記噴射孔が形成されている送風機（請求項３）。
本項に記載の送風機は、一端部が閉鎖され、円筒壁面に噴射孔が形成された直線円筒管により、ハブ内に供給される高圧エアを、プロペラファンの回転方向後方へ向けて噴射するエアアウトレットが構成されるものである。
【０００９】
（４）上記（１）から（３）項において、前記ベースは、中央部に前記トンネル部が形成された円柱状をなし、前記トンネル部と直交する開口が形成され、該開口に前記エアインレットを構成する円筒管が嵌め込まれ、前記トンネル部の一端から前記管状回転軸が突出している送風機（請求項４）。
本項に記載の送風機は、円柱状のベースのトンネル部と直交する開口に嵌め込まれた、エアインレットを構成する円筒管から、管状回転軸へと高圧エアが供給されるものである。又、円柱状のベースの中央部に形成されたトンネル部の一端から管状回転軸が突出し、プロペラファンのハブがその先端に固定され、管状回転軸を介してハブに供給された高圧エアが、エアアウトレットから噴射され、その反力でプロペラファンが回転するものである。
【００１０】
（５）上記（４）項において、前記ベースの前記管状回転軸が突出する一端部とは反対側の端部に、円盤状プレートが固定されている送風機（請求項５）。
本項に記載の送風機は、ベースの管状回転軸が突出する一端部とは反対側の端部に固定された円盤状プレートにより、本送風機の設置対象物に対し、確実かつ強固に固定されるものである。
【００１１】
（６）上記（５）項において、前記円盤状プレートは、前記プロペラファンの最大径又は前記エアアウトレットの突出長さ以上の直径を有している送風機（請求項６）。
本項に記載の送風機は、円盤状プレートが、プロペラファンの最大径（翼の先端部の回転軌跡の径）又は前記エアアウトレットの突出長さ以上の直径を有していることにより、円盤状プレートは、ベースに対して回転するプロペラファン又はエアアウトレットの、保護部材としても機能するものである。
【発明の効果】
【００１２】
本発明はこのように構成したので、送風機は高圧エアを動力源として回転するものとなり、それ専用の電源が不要であることから構成が単純化され、かつ、防爆性に優れるものである。又、高い送風能力を有し、様々な用途に対応可能な送風機となる。
【図面の簡単な説明】
【００１３】
【図１】本発明の実施の形態に係る送風機の平面図である。
【図２】本発明の実施の形態に係る送風機の正面図である。
【図３】図１のＡ−Ａ’断面図である。
【図４】本発明の実施の形態に係る送風機の立体図である。
【発明を実施するための形態】
【００１４】
以下、本発明を実施するための形態を添付図面に基づいて説明する。ここで、従来技術と同一部分、若しくは相当する部分については、同一符号で示し、詳しい説明を省略する。
本発明の実施の形態に係る送風機１０は、図１〜４に示されるように、中央部にトンネル部１２ａが形成された円柱状のベース１２と、ベース１２に軸支される管状回転軸１４と、管状回転軸１４の基端部１４ａに高圧エアを供給するエアインレット１６と、管状回転軸１４の先端部１４ｂに固定されるプロペラファン１８とを備えている。プロペラファン１８は、エアチャンバを構成するハブ２０を備え、ハブの内部に管状回転軸１４の先端部１４ｂが開口し、なおかつ、先端部１４ｂの開口からハブ２０内に供給される高圧エアを、プロペラファン１８の回転方向後方へ向けて噴射するエアアウトレット２２を備えている。
【００１５】
又、ベース１２の、管状回転軸１４が挿通されるトンネル部１２ａの壁面と、管状回転軸１４との間に、軸受２４、２６が挿入されている。図３に示される軸受２４、２６は滑り軸受であるが転がり軸受としても良く、軸受２４はトンネル部１２ａの下方から、軸受２６はトンネル部１２ａの上方から、夫々トンネル部１２ａに圧入される。なお、トンネル部１２ａの両端部は、軸受２４、２６の軸方向の位置決めを行うために段付き形状となっている。そして、管状回転軸１４ａの下端部１４ａ近傍には、軸受２４の挿通後に、抜け止めとして留め環３４が嵌め込まれている。又、ベース１２には、トンネル部１２ａと直交する開口１２ｂが形成され、開口１２ｂにエアインレット２８を構成する円筒管が嵌め込まれており、更に、トンネル部ａ１２の一端から管状回転軸１４が突出している。
【００１６】
図示の例では、少なくともベース１２の管状回転軸１４が突出する一端部に固定される軸受２６は、密閉型の軸受が用いられている。一方、トンネル部１２ａの管状回転軸１４が突出する一端部とは反対側の端部は、軸受２４が圧入された後に、プラグ３０により密閉されている。
又、ベース１２の管状回転軸１４が突出する一端部とは反対側の端部には、プロペラファン１８の最大径、および、エアアウトレット２２の突出長さ以上の直径の円盤状プレート３２が固定されている。
【００１７】
プロペラファン１８のハブ２０は、筒状の外壁に沿って複数の薄翼１８ａが放射状に突出する有底円筒部２０ａと、有底円筒部を塞ぐ蓋部２０ｂとからなり、両者は密閉状態に固定される。又、図示の例では、有底円筒部２０ａの内側底面から、蓋部２０ｂに達しない高さまで、管状回転軸１４を嵌合させるボス２０ｃが突出している。なお、図中符号２０ｄで示される部分は、ボス２０ｃの補強リブである。
又、エアアウトレット２２は、一端部が閉鎖された直線円筒管により構成され、先端部近傍に、ハブから放射方向に突出して回転方向後方に開口する噴射孔２２ａ（図２にのみ示されている。）を備えている。
【００１８】
なお、本発明の実施の形態では、管状回転軸１４、軸受２４、２６、エアインレット２８が金属製であり、その他の部品が合成樹脂製となっている。
そして、送風機１０を設置する場所に円盤状プレート３２を密着させて、円盤状プレート３２をねじ止め、接着等することにより設置場所に固定することができる。又、例えば、エアコンの送風管に分岐管を設けてエアインレット２８に接続することにより、高圧エアを送風機１０に供給し、プロペラファン１８を回転させるものである。なお、高圧エアの供給源はこれに限定されるものではなく、適宜選択されるものである。
【００１９】
さて、上記構成をなす、本発明の実施の形態によれば、次のような作用効果を得ることが可能である。まず、本発明の実施の形態に係る送風機１０は、エアインレット２８から高圧エアの供給を受けて、管状回転軸１４の先端部１４ｂからハブ２０の内部に供給される高圧エアが、エアアウトレット２２から噴射され、その反力でプロペラファン１８が回転するものである。しかも、管状回転軸１４がベース１２に軸支されることで、管状回転軸１４にハブ２０が固定されたプロペラファン１８は、円滑にかつ安定して回転し、管状回転軸１４の軸方向（図２、図３の上方向）へと送風を行うものである。
【００２０】
又、送風機１０は、ベース１２に管状回転軸１４が挿通されるトンネル部１２ａと、トンネル部１２ａの壁面と管状回転軸１４との間に挿入される軸受２４、２６とを備えることで、プロペラファン１８の回転支持機構が構成され、管状回転軸１４にハブ２０が固定されたプロペラファン１８は、円滑にかつ安定して回転するものとなる。又、ハブ２０から放射方向に突出し、回転方向後方に開口する噴射孔２２ａを備える管により、エアアウトレット２２が構成されるものである。
【００２１】
本発明の実施の形態では、ハブ内に供給される高圧エアを、プロペラファンの回転方向後方へ向けて噴射するエアアウトレット２２は、一端部が閉鎖され、円筒壁面に噴射孔２２ａが形成された直線円筒管２２により構成されることで、部品形状の単純化が図られている。又、円柱状のベース１２のトンネル部１２ａと直交する開口１２ｂに嵌め込まれた、エアインレット２８を構成する円筒管から、管状回転軸１４へと高圧エアが供給されるものである。又、円柱状のベース１２の中央部に形成されたトンネル部１２ａの一端から管状回転軸１４が突出し、プロペラファン１８のハブ２０がその先端１４ｂに固定され、管状回転軸１４を介してハブ２０に供給された高圧エアが、エアアウトレット２２から噴射され、その反力でプロペラファン１８が回転するものである。
【００２２】
しかも、ベース１２の管状回転軸１４が突出する一端部とは反対側の端部に固定された円盤状プレート３２により、本送風機１０は設置対象物に対し確実かつ強固に固定されるものである。又、円盤状プレート３２は、プロペラファン１８の最大径及びエアアウトレット２２の突出長さ以上の直径を有することから、円盤状プレート３２は、送風機１０の単体時において、ベース１２に対し回転するプロペラファン１８エアアウトレット２２の保護部材としても機能するものとなる。
なお、図示の例では、エアインレット２８に関しては、ベース１２に対して非回転に固定されるものであることから、エアホース等、高圧エアの供給配管との連結作業の容易性等を優先し、円盤状プレート３２の直径よりも突出長さを長くしている。
【００２３】
以上のごとく、本発明の実施の形態に係る送風機１０は、各部品の形状、構造が単純で低コストであり、各部品を、接着、圧入等することで、組立も容易である。又、プロペラファン１８の形状を適宜変更することで、必要な特性の送風機を構成することが可能である。しかも、高圧エアが得られる環境であれば、使用場所、用途、設置方向は問われない。そして、防爆性が要求される密閉空間での、送風手段や換気手段としての使用にも適したものである。
なお、一例として、プロペラファン１８の直径５０ｍｍ、エアアウトレット２２の噴射孔２２ａの直径１ｍｍ、エアアウトレット２２の高圧エアの供給圧力０．０５〜０．１５Ｍｐａとしたとき、プロペラファン１８の回転数１５００〜２８００ｒｐｍ、風量８０〜１４０ｍ３／ｈが得られた。
【符号の説明】
【００２４】
１０：送風機、１２：ベース、１２ａ：トンネル部、１２ｂ：開口、１４：管状回転軸、  １４ａ：基端部、１４ｂ：先端部、１８：  プロペラファン、１８ａ：薄翼、２０：ハブ、２０ａ：有底円筒部、２０ｂ：蓋部、２２：エアアウトレット、２２ａ：噴射孔、  ２４、２６：軸受、２８：エアインレット、３０：プラグ、３２：円盤状プレート
【図１】
2011017254.tif 000003
【図２】
2011017254.tif 000004
【図３】
2011017254.tif 000005
【図４】
2011017254.tif 000006